(57)【特許請求の範囲】
【請求項１】
底壁(1)、天壁(2)、それぞれ対向する側壁(3)及び端壁(15)から成る包装箱において、前記天壁(2)に天切線(7)を設けると共に、側壁(3)に下方へかけて間隔が広がるように傾斜した２本の側切線(8)を設け、天切線(7)及び側切線(8)の切断に伴い、天壁(2)及び両側壁(3)を左右に分割可能とし、底壁(1)の両側部に、前後方向に延びる谷折線(11)と、その端壁(15)側に並行する山折線(12)とを設け、展示状態への転換に際して、天壁(2)及び両側壁(3)を分割し、底壁(1)の谷折線(11)及び山折線(12)での折り曲げに伴い、山折線(12)より側方の部分から成る脚体部(16)を、底壁(1)の谷折線(11)と山折線(12)に挟まれた受板部(17)と共に縦位置に回転させ、受板部(17)を折り返すと、底壁(1)の谷折線(11)に挟まれた載置部(18)が受板部(17)に載るように脚体部(16)で持上状態に支持され、載置部(18)が脚体部(16)の外側部分をなす天壁(2)の上端よりも下がるようにしたことを特徴とする持上支持機能付き包装箱。
【発明の詳細な説明】
【技術分野】
【０００１】
この発明は、商品を持ち上げた状態で支持して展示できる包装箱に関するものである。
【背景技術】
【０００２】
従来、電子レンジでの食品調理に適した包装箱として、下記特許文献１には、図７及び図８に示すようなものが記載されている。
【０００３】
この包装箱は、食品を載せる内トレー５１と、これを収納する外箱５２とから成り、外箱５２は、底壁５３、天壁５４、それぞれ対向する長手方向の側壁５５及び幅方向の端壁５６から形成され、天壁５４の略中央に繋部を有する切目線５７を設け、両側壁５５に切目線５７を頂点として下拡がりとなる切欠部５８を形成し、底壁５３の両側部に切欠部５８の下端から幅方向に延びる谷折線５９を設けたものとされている。
【０００４】
このような包装箱の内トレー５１に収容された食品を電子レンジで調理する際には、切目線５７の繋部を切断して、天壁５４を分割し、谷折線５９での折り曲げに伴い、山折線５９より側方の部分から成る脚体部６０を縦位置に回転させると、内トレー５１が持上状態に支持されるので、電子レンジのマイクロ波が内トレー５１の下方からも含めて、満遍なく食品に照射され、食品がむらなく均一に加熱される。
【先行技術文献】
【特許文献】
【０００５】
【特許文献１】実開平３−１００１１７号公報
【発明の概要】
【発明が解決しようとする課題】
【０００６】
しかしながら、上記のような包装箱を、店頭で展示される商品を目立たせるために使用した場合、商品が内トレー５１から順次抜き取られて荷重が減少すると、谷折線５９での折り曲げが反発で戻り、内トレー５１の持上状態が維持されなくなるおそれがある。
【０００７】
そこで、この発明は、商品を確実に持上状態に支持して、高い位置で展示できるようにすることを課題とする。
【課題を解決するための手段】
【０００８】
上記課題を解決するため、この発明は、底壁、天壁、それぞれ対向する側壁及び端壁から成る包装箱において、前記天壁に天切線を設けると共に、側壁に下方へかけて間隔が広がるように傾斜した２本の側切線を設け、天切線及び側切線の切断に伴い、天壁及び両側壁を左右に分割可能とし、底壁の両側部に、前後方向に延びる谷折線と、その端壁側に並行する山折線とを設け、展示状態への転換に際して、天壁及び両側壁を分割し、底壁の谷折線及び山折線での折り曲げに伴い、山折線より側方の部分から成る脚体部を、底壁の谷折線と山折線に挟まれた受板部と共に縦位置に回転させ、受板部を折り返すと、底壁の谷折線に挟まれた載置部が受板部に載るように脚体部で持上状態に支持され、載置部が脚体部の外側部分をなす天壁の上端よりも下がるようにしたのである。
【発明の効果】
【０００９】
この包装箱では、商品を載せた載置部を脚体部により持ち上げた状態で、谷折線及び山折線での折り曲げが反発で戻ろうとしても、その反発力は載置部をさらに上昇させる方向に作用し、脚体部に回転力が生じないので、商品を確実に持上状態に支持して、高い位置で展示でき、優れた訴求効果を得ることができる。
【００１０】
また、受板部の折り返しに伴い、載置部が脚体部の外側部分をなす天壁の上端よりも下がるようにして、この天壁で商品を外側から支えることにより、載置部からの商品の転落を防止することができる。
【図面の簡単な説明】
【００１１】
【図１】この発明に係る持上支持機能付き包装箱のブランクを示す図
【図２】同上の包装状態を示す斜視図
【図３】同上の展示状態への転換時の切断過程を示す斜視図
【図４】同上の展示状態への転換時の変形過程を示す斜視図
【図５】同上の展示状態を示す斜視図
【図６】同上の包装状態から展示状態への転換時の各過程を示す正面図
【図７】従来の持上支持機能付き包装箱の包装状態を示す斜視図
【図８】同上の持上支持状態を示す斜視図
【発明を実施するための形態】
【００１２】
以下、この発明の実施形態を添付図面に基づいて説明する。
【００１３】
この持上支持機能付き包装箱は、小箱入りの菓子等の商品を集積して包装するラップラウンド形式の段ボール箱であり、図１に示すようなブランクから形成される。このブランクは、底壁１、天壁２、一対の側壁３及び継代片４の長辺同士を組立時に角筒状となるように一列に連設し、側壁３の両短辺に内端板５を、底壁１及び天壁２の両短辺に外端板６をそれぞれ連設したものとされている。
【００１４】
天壁２には、両側壁３に亘る２本の平行な天切線７が設けられ、各側壁３には、天切線７に続いて、組立時の下方へかけて間隔が広がるように傾斜した２本の側切線８が設けられている。また、継代片４にも、側壁３の側切線８と重なるように側切線８が設けられている。底壁１と側壁３及び継代片４との境界には、側切線８に続いて、内側へ延びる底切線９が設けられている。
【００１５】
また、各側壁３の中間部には、２本の側切線８に亘り、中央部が天壁２側へ弧状に膨出した横切線１０が設けられている。
【００１６】
天切線７、側切線８、底切線９及び横切線１０は、切目と繋部が交互に断続するミシン目状の切目線とされ、繋部の破断に伴い切断されるようになっている。
【００１７】
底壁１の両側部には、底切線９の内端に続いて、幅方向に延びる谷折線１１と、これより外端板６側で幅方向に延びる山折線１２とが設けられている。谷折線１１は、段ボールの表側から入れた押罫とされ、山折線１２は、段ボールの裏側から入れた押罫と切目とが断続するリード罫とされている。
【００１８】
谷折線１１は、底壁１の側壁３及び継代片４との境界寄りの部分のみに存在し、同一線上の谷折線１１に挟まれた部分には、外側へ張り出したコ字状の載切線１３が設けられている。載切線１３は、切目と繋部が交互に断続するミシン目状の切目線とされている。
【００１９】
継代片４には、谷折線１１の延長線上に、展示状態への転換時に撓みを許容するため、切目を入れて補助罫１４が設けられている。
【００２０】
このようなブランクを組み立てて菓子等の商品を包装する際には、図２に示すように、底壁１、天壁２及び一対の側壁３を角筒状に折り曲げ、商品を包み込んだ状態で、継代片４を反対側の側壁３の内面に貼り付け、内端板５及び外端板６を順次内側へ折り曲げて貼り合わせることにより、一対の端壁１５を形成して封緘する。
【００２１】
一方、このように包装した商品を小売店へ配送し、図２及び図６（ａ）に示す包装状態から、店頭で展示状態へ転換する際には、側壁３の横切線１０の直下部分を押して、図３に示すように、横切線１０を切断し、横切線１０の直上部分を持ち上げて、横切線１０より上方の２本の側切線８及び天切線７を切断し、天切線７と側切線８に挟まれた帯状部分を切り取って、天壁２及び両側壁３を左右に分割する。
【００２２】
次に、図４及び図６（ｂ）に示すように、側壁３において、横切線１０より下方の２本の側切線８を切断した後、底切線９を切断しつつ、谷折線１１を軸として、山折線１２より側方の部分から成る脚体部１６を、谷折線１１と山折線１２に挟まれた受板部１７と共に縦方向へ回転させる。
【００２３】
そして、図６（ｃ）に示すように、脚体部１６及び受板部１７が直立した状態から、図５及び図６（ｄ）に示すように、谷折線１１及び山折線１２における相反する方向への折り曲げに伴い、受板部１７を折り返すと、谷折線１１に挟まれた載置部１８が受板部１７に載るように脚体部１６で持上状態に支持される。
【００２４】
このとき、載置部１８は、載切線１３の形状に従って、谷折線１１の間の部分が左右へ張り出すので、商品Ｇが左右方向に安定して支持される。また、載置部１８の前後に繋がった側壁３の残存部は、その両端部を撓ませつつつ、脚体部１６の側壁３の内側に沿わせると、起立状態に保持される。
【００２５】
上記のような包装箱では、商品Ｇを載せた載置部１８を脚体部１６により持ち上げた状態で、商品Ｇが順次抜き取られて荷重が減少し、谷折線１１及び山折線１２での折り曲げが反発で戻ろうとしても、その反発力は、載置部１８をさらに上昇させる方向に作用し、脚体部１６に回転力が生じないので、脚体部１６が起立状態で安定する。
【００２６】
このため、商品Ｇを確実に持上状態に支持して、店頭什器の落下防止壁より高い位置で展示でき、商品Ｇを目立たせて、優れた訴求効果を得ることができる。
【００２７】
また、受板部１７の折り返しに伴い、載置部１８が脚体部１６の外側部分を形成する天壁２の上端よりも下がるので、この天壁２で商品Ｇを外側から支えることにより、載置部１８からの商品Ｇの側方への転落を防止することができ、載置部１８の前後から起立する側壁３の残存部により、商品Ｇの前後方向への転落も防止することができる。
【００２８】
さらに、載置部１８を介して脚体部１６が繋がっているので、包装状態から展示状態への転換作業を容易に行なうことができ、通常の包装箱と同様の輪郭を有する１枚のブランクから形成できるので、段ボールの使用量が増大することがなく、包装コストを抑制することができる。
【００２９】
なお、上記実施形態では、天切線７が２本のものを例示したが、長手方向の寸法が小さい包装箱では、天切線７を１本のみとしてもよい。
【００３０】
また、天切線７、側切線８、底切線９及び横切線１０がミシン目状の切目線となったものを例示したが、天壁２や側壁３やその稜部、側壁３と底壁１の稜部等を部分的に打ち抜いて貫窓を設け、この貫窓を介して切断が連続するようにしてもよい。
【００３１】
また、ラップラウンド形式の段ボール箱を例示したが、溝切り型段ボール箱やタックエンドカートン等においても、同様の構成により、持上支持機能を付与することができる。
【符号の説明】
【００３２】
１  底壁
２  天壁
３  側壁
４  継代片
５  内端板
６  外端板
７  天切線
８  側切線
９  底切線
１０  横切線
１１  谷折線
１２  山折線
１３  載切線
１４  補助罫
１５  端壁
１６  脚体部
１７  受板部
１８  載置部
【図１】
0005563375.tif 000002
【図２】
0005563375.tif 000003
【図３】
0005563375.tif 000004
【図４】
0005563375.tif 000005
【図５】
0005563375.tif 000006
【図６】
0005563375.tif 000007
【図７】
0005563375.tif 000008
【図８】
0005563375.tif 000009